(57)【要約】【課題】長期間安定して摺動できるピックアップ装置を提供する。【解決手段】ピックアップ３１０を搭載してガイドシャフト２３０に沿って移動するピックアップベース３２０に、ガイドシャフト２３０に摺動可能に軸支する円筒状の軸受３２１Ａの移動方向側の端部が臨みかつガイドシャフト２３０と干渉しない位置に、軸受保護部３２１Ｃ１を備えた保持部３２１Ｂ１を一体的に設ける。ピックアップベース３２０と軸受３２１Ａとをそれぞれ別の材料で形成でき、最良の材料を選択することでピックアップ装置３００の良好な移動を確保でき、軸受３２１Ａの移動方向側の端部を軸受保護部３２１Ｃ１により保護し、ピックアップ装置３００の良好な移動を長期間維持できる。【選択図】図３
2006179044.tif 000002
【特許請求の範囲】
【請求項１】
所定の処理を実施する処理部が搭載され、支持軸に沿って移動する基台と、
この基台に設けられ、前記支持軸に摺動可能に軸支されて前記基台を支持する軸受と、
前記基台または前記軸受の少なくともいずれか一方に設けられ、前記支持軸の軸方向に沿って前記基台が移動する移動方向における前記軸受の端部に臨みかつ前記支持軸と干渉しない位置に設けられた軸受保護部と、
を具備したことを特徴とした搬送装置。
【請求項２】
請求項１に記載の搬送装置であって、
前記軸受は、前記軸方向に沿って前記基台に複数設けられ、
前記軸受保護部は、複数の前記軸受のうち前記移動方向先端側の前記軸受における前記支持軸の軸方向に対応する両端部のうちの少なくとも前記移動方向における端部に臨みかつ前記支持軸と干渉しない位置に設けられた
ことを特徴とした搬送装置。
【請求項３】
請求項１または請求項２に記載の搬送装置であって、
前記基台は、前記軸受を保持する保持部を備えた
ことを特徴とした搬送装置。
【請求項４】
請求項３に記載の搬送装置であって、
前記軸受保護部は、前記保持部に設けられ、かつ前記移動方向における前記軸受の端部よりも前記移動方向に向けて突出する凸部を備えた
ことを特徴とした搬送装置。
【請求項５】
請求項３または請求項４に記載の搬送装置であって、
前記軸受は、略円筒状であり、
前記保持部は、前記軸受の外周面の軸方向における少なくとも一部を内包する筒状であり、
前記軸受保護部は、前記基台の移動方向における前記保持部の端部に、前記軸受の軸方向における端部よりも前記移動方向側に延出する状態に一体形成された
ことを特徴とした搬送装置。
【請求項６】
所定の処理を実施する処理部が搭載され、支持軸に沿って移動する基台と、
前記基台に設けられ、前記支持軸に摺動可能に軸支されて前記基台を支持する略筒状の軸受と、
前記基台に設けられ、内周側に前記軸受を嵌合保持する略筒状の保持部と、を具備し、
前記軸受および前記保持部は、それぞれの中心軸が前記支持軸の前記軸方向に沿う状態に設けられ、
前記軸受は、前記支持軸の軸方向に沿って前記基台が移動する移動方向における端部が、前記移動方向における前記保持部の端部よりも前記軸方向で内部側に位置する状態で前記保持部に嵌合保持された
ことを特徴とした搬送装置。
【請求項７】
請求項６に記載の搬送装置であって、
前記保持部は、前記基台に複数設けられ、
前記軸受は、前記保持部のうちの少なくとも前記基台の前記移動方向に沿った両端側に位置する前記保持部に、これら保持部の前記基台の前記移動方向における少なくとも先端側の端部よりも前記軸方向で内部側に位置する状態で前記保持部に嵌合保持された
ことを特徴とした搬送装置。
【請求項８】
請求項６または請求項７に記載の搬送装置であって、
前記保持部は、前記基台の前記移動方向における端部側の内周面が開口端側に拡径する状態に形成された
ことを特徴とした搬送装置。
【請求項９】
請求項５ないし請求項８のいずれかに記載の搬送装置であって、
前記保持部は、内周面に内方に向けて径小に突設され、前記軸受の軸方向の端部が当接されて移動規制する段差部を備えた
ことを特徴とした搬送装置。
【請求項１０】
請求項１ないし請求項９のいずれかに記載の搬送装置と、
前記搬送装置の前記基台に搭載され所定の処理を実施する処理部と、
を具備したことを特徴とした処理装置。
【請求項１１】
請求項１ないし請求項９のいずれかに記載の搬送装置と、
前記搬送装置の前記基台に搭載され、記録媒体の記録面に記録された情報を読み取る読取処理および前記記録面へ前記情報を記録する記録処理のうちの少なくともいずれか一方を実施する処理部と、
を具備したことを特徴としたピックアップ装置。
【請求項１２】
請求項１１に記載のピックアップ装置と、
前記ピックアップ装置を軸方向で移動可能に軸支する前記支持軸と、
ディスク状の前記記録媒体を回転するディスク回転駆動手段と、
前記ピックアップ装置を前記記録媒体の前記記録面に沿って移動させる搬送手段と、
を具備したことを特徴したディスク装置。
【発明の詳細な説明】
【技術分野】
【０００１】
本発明は、所定の処理を実施する処理部を搬送する搬送装置、処理装置、ピックアップ装置、およびディスク装置に関する。
【背景技術】
【０００２】
従来、ＣＤやＤＶＤなどのディスク状の記録媒体に記録されている情報を記録したり、または記録されている情報を再生したりするためのピックアップ装置において、ディスク状の記録媒体の記録面に沿ってピックアップを移動する構成が知られている。このようなピックアップ装置として、例えばディスク状の記録媒体に記録された情報を読み取る読取処理や情報を記録する記録処理を実施するためのピックアップが搭載されるピックアップベースと、ディスク状の記録媒体の径方向に沿って略平行に設けられた一対のガイドシャフトの一方に摺動可能に軸支されピックアップベースに形成される軸受孔と、を備えた構成が知られている（例えば、特許文献１および特許文献２参照）。
【０００３】
特許文献１に記載の構成は、ピックアップベースにガイドシャフトが挿通される軸受孔を形成している。そして、ガイドシャフトに面する軸受孔の内部には、径大な溝からなる拡大径部と、ピックアップベースの移動方向の端部側に向けて径大に開口するテーパ部と、が形成されている。そして、ピックアップベースがガイドシャフト上を摺動する際、拡大径部およびテーパ部のガイドシャフトとの間の空隙に潤滑油が保持され、ピックアップベースの摺動が円滑となる構成が採られている。
【０００４】
また、特許文献２に記載の構成は、ピックアップベースにガイドシャフトが挿通される軸受孔を形成している。そして、この軸受孔の外側端部には、拡大径部からなる油溜まりが形成されている。そして、ピックアップベースがガイドシャフト上を摺動する際、この油溜まりに潤滑油が溜められ、ピックアップベースの摺動が円滑となる構成が採られている。
【０００５】
【特許文献１】特開平１１−２８７２４３号公報（第３頁、図１参照）
【特許文献２】特開平７−２８２５５０号公報（第２頁右欄−第３頁左欄、図１参照）
【発明の開示】
【発明が解決しようとする課題】
【０００６】
ところで、上記した特許文献１および特許文献２に記載のような従来の構成では、情報の高速処理が望まれ、ピックアップ装置としてもより高い処理精度が望まれている。このことにより、ピックアップベースとして、比較的に高い剛性率や耐熱性を有しかつ異形成形が比較的に容易な材料で形成することが考えられる。一方、ガイドシャフトに面する軸受孔の内周面に、比較的に高い耐磨耗性を有しかつ硬質の材料で形成することが考えられる。
【０００７】
しかしながら、このような構成を特許文献１や特許文献２に記載のような従来の構成に適用したとしても、ピックアップ装置の移動に影響を与えるおそれがある。例えば、ピックアップ装置の組立工程において、作業者が誤って軸受孔の移動方向端部を触ってしまう場合、軸受孔の移動方向端部に汚れが付着するなどにより、ガイドシャフトとの摺動に悪影響を与えてしまうおそれがある、などの問題が一例として挙げられる。
【０００８】
本発明は、このような問題に鑑みて、処理部を良好に搬送する搬送装置、処理装置、ピックアップ装置およびディスク装置を提供することを１つの目的とする。
【課題を解決するための手段】
【０００９】
請求項１に記載の発明は、所定の処理を実施する処理部が搭載され、支持軸に沿って移動する基台と、この基台に設けられ、前記支持軸に摺動可能に軸支されて前記基台を支持する軸受と、前記基台または前記軸受の少なくともいずれか一方に設けられ、前記支持軸の軸方向に沿って前記基台が移動する移動方向における前記軸受の端部に臨みかつ前記支持軸と干渉しない位置に設けられた軸受保護部と、を具備したことを特徴とした搬送装置である。
【００１０】
請求項６に記載の発明は、所定の処理を実施する処理部が搭載され、支持軸に沿って移動する基台と、前記基台に設けられ、前記支持軸に摺動可能に軸支されて前記基台を支持する略筒状の軸受と、前記基台に設けられ、内周側に前記軸受を嵌合保持する略筒状の保持部と、を具備し、前記軸受および前記保持部は、それぞれの中心軸が前記支持軸の前記軸方向に沿う状態に設けられ、前記軸受は、前記支持軸の軸方向に沿って前記基台が移動する移動方向における端部が、前記移動方向における前記保持部の端部よりも前記軸方向で内部側に位置する状態で前記保持部に嵌合保持されたことを特徴とした搬送装置である。
【００１１】
請求項１０に記載の発明は、請求項１ないし請求項９のいずれかに記載の搬送装置と、前記搬送装置の前記基台に搭載され所定の処理を実施する処理部と、を具備したことを特徴とした処理装置である。
【００１２】
請求項１１に記載の発明は、請求項１ないし請求項９のいずれかに記載の搬送装置と、前記搬送装置の前記基台に搭載され、記録媒体の記録面に記録された情報を読み取る読取処理および前記記録面へ前記情報を記録する記録処理のうちの少なくともいずれか一方を実施する処理部と、を具備したことを特徴としたピックアップ装置である。
【００１３】
請求項１２に記載の発明は、請求項１１に記載のピックアップ装置と、前記ピックアップ装置を軸方向で移動可能に軸支する前記支持軸と、ディスク状の前記記録媒体を回転するディスク回転駆動手段と、前記ピックアップ装置を前記記録媒体の前記記録面に沿って移動させる搬送手段と、を具備したことを特徴したディスク装置である。
【発明を実施するための最良の形態】
【００１４】
以下、本発明の実施の一形態を図面に基づいて説明する。本実施の形態では、ディスク状の記録媒体としての光ディスクに情報を記録および読み出すいわゆるスロットインタイプのディスク装置を例示して説明するが、例えば光ディスクを搬送するトレイを備えた構成など、いずれの構成のディスク装置をも対象とすることができる。また、ディスク装置は、読取処理あるいは記録処理の一方のみを実施する構成としてもよい。さらに、ディスク状の記録媒体としては、光ディスクに限らず、磁気ディスク、光磁気ディスクなどのいずれのディスク状の記録媒体を対象とすることができる。また、ディスク状の記録媒体に限らず、例えば記録面が外周面に設けられた筒状の記録媒体や、テープ状の記録媒体など、いずれの記録媒体を対象とすることができる。さらには、情報を読み取りあるいは記録する情報を処理する処理装置に限らず、例えば切削装置や塗料を塗布する塗装装置などの表面処理装置など、被処理物に対して各種処理を実施する処理部を備えたいずれの処理装置に、処理部を比較的に高精度に移動させる搬送装置として適用させるなどしてもよい。
【００１５】
〔第１の実施の形態〕
（ディスク装置の構成）
図１は、本発明の第１の実施の形態に係るディスク装置の一部を切り欠いた概略構成を示す平面図である。図２は、ディスク処理部を示す一部を切り欠いた平面図である。図３は、ピックアップベースの要部を示す断面図である。
【００１６】
図１において、１００はディスク装置で、このディスク装置１００は、例えば携帯型のパーソナルコンピュータや、テレビ放送番組を録画・再生する録画再生装置などの各種電気機器に装着される、いわゆる薄型のスロットインタイプである。このディスク装置１００は、着脱可能に装着されるディスク状の記録媒体としての光ディスク１０における少なくとも一面に設けられた図示しない記録面に記録された各種情報を読み出す情報処理である読取処理、および、記録面へ各種情報を記録する情報処理である記録処理をする。そして、ディスク装置１００は、例えば金属製で内部空間を有する略箱形状のケース体１１０を有している。また、ディスク装置１００は、ケース体１１０内に配設された、ディスク処理部２００と、駆動部４００と、搬送手段５００と、図示しない制御回路部と、などを備えている。
【００１７】
ディスク処理部２００は、光ディスク１０の記録面に対して読取処理および記録処理を実施する。このディスク処理部２００は、駆動部４００により回動可能にケース体１１０内に配設されている。そして、ディスク処理部２００は、台座部２１０と、ディスク回転駆動手段２２０と、支持軸としての一対の第１のガイドシャフト２３０および第２のガイドシャフト２３１と、搬送手段としての処理移動手段２４０と、処理装置としてのピックアップ装置３００と、などを備えている。
【００１８】
台座部２１０は、例えば図２に示すように、金属板にて平面視で長手状の扁平八角形状に形成されている。また、台座部２１０は、略中央に切欠部２１１が設けられた枠状に形成されている。そして、台座部２１０は、長手方向の一端側が軸方向に沿って回動可能に、長手方向の他端側がケース体１１０に軸支されて配設されている。
【００１９】
ディスク回転駆動手段２２０は、光ディスク１０を軸支して回転させる処理をする。このディスク回転駆動手段２２０は、回転用電動モータ２２１と、ターンテーブル２２２と、などを備えている。回転用電動モータ２２１は、例えばスピンドルモータで、台座部２１０の長手方向における回動側である一端側に配設される。そして、回転用電動モータ２２１は、制御回路部に制御されて駆動する。ターンテーブル２２２は、回転用電動モータ２２１の出力軸に一体的に設けられ、光ディスク１０を着脱可能に軸支し、回転用電動モータ２２１の回転駆動により、光ディスク１０とともに回転する。
【００２０】
第１のガイドシャフト２３０および第２のガイドシャフト２３１は、例えば金属製で、断面形状が円形の細長棒状に形成されている。これら第１のガイドシャフト２３０および第２のガイドシャフト２３１は、その軸方向が台座部２１０の長手方向に略沿う状態に略平行に配設されている。
【００２１】
処理移動手段２４０は、第１のガイドシャフト２３０および第２のガイドシャフト２３１の軸方向に沿って、ピックアップ装置３００を移動させる。この処理移動手段２４０は、移動用電動モータ２４１と、リードスクリュ２４２と、などを備えている。移動用電動モータ２４１は、例えばステッピングモータで、制御回路部に制御されて駆動する。リードスクリュ２４２は、例えば金属製の細長棒状に形成され、移動用電動モータ２４１の駆動により回転する。このリードスクリュ２４２は、第１のガイドシャフト２３１に近接して略平行に配設されている。そして、リードスクリュ２４２は、外周面に螺旋状の係合溝２４２Ａが設けられている。
【００２２】
ピックアップ装置３００は、光ディスク１０に対する読取処理および記録処理を実施するための装置である。このピックアップ装置３００は、第１のガイドシャフト２３０および第２のガイドシャフト２３１に軸支され、軸方向に沿って移動される。そして、ピックアップ装置３００は、処理部としてのピックアップ３１０と、このピックアップ３１０が搭載される基台としてのピックアップベース３２０と、を備えている。ここで、ピックアップ装置３００の移動方向に関して、ターンテーブル２２２に軸支された光ディスク１０の内周側に向かう方向を内側移動方向とし、光ディスク１０の外周側に向かう方向を外側移動方向と定義する。また、これら内側移動方向および外側移動方向を合わせて両側移動方向と定義する。
【００２３】
ピックアップ３１０は、制御回路部に送受信可能に接続され、制御回路部の制御により、光ディスク１０の記録面に記録された各種情報を読み取る読取処理や、制御回路部からの各種情報を記録面に記録する記録処理を実施する。そして、ピックアップ３１０は、図示しない光源と、対物レンズ３１１を含む各種レンズ群と、図示しない光センサと、などを備えている。
【００２４】
ピックアップベース３２０は、図２に示すように、平面視で扁平八角形の一部を切欠いた長手状に形成されている。このピックアップベース３２０は、比較的に高い剛性率や耐熱性を有しかつ異形成形が比較的に容易な材料、具体的には例えば、Ａｌを主成分とする金属材料を用いてアルミダイキャスト法などにより成形される。そして、ピックアップベース３２０は、一対の第１のガイドシャフト２３０および第２のガイドシャフト２３１間に架橋する状態に支持される。また、ピックアップベース３２０は、第１の支持部３２１と、第２の支持部３２２と、第３の支持部３２３と、移動規制爪部３２４と、などを備えている。
【００２５】
第１の支持部３２１および第２の支持部３２２は、図３に示すように、第１のガイドシャフト２３０に両側移動方向に摺動可能な状態で軸支されて、ピックアップベース３２０の長手方向の一端側を支持する。これら第１の支持部３２１および第２の支持部３２２は、ピックアップベース３２０の長手方向の一端側において、両側移動方向である第１のガイドシャフトの軸方向に沿って対をなして設けられる。
【００２６】
第１の支持部３２１は、軸受３２１Ａと、保持部３２１Ｂ１と、を備えている。軸受３２１Ａは、軸方向の長さ寸法ａ１、内径ａ２、外径ａ３で円筒状で多孔質に形成されている。この軸受３２１Ａは、比較的に高い耐磨耗性を有しかつ比較的に硬質の材料で形成され、より好ましくはピックアップベース３２０に用いられる材料よりも硬質な材料で形成されている。具体的には軸受３２１Ａは、例えばＦｅもしくはＣｕを主成分とする金属材料などにて形成されている。この軸受３２１Ａは、内周側に第１のガイドシャフト２３０を摺動可能に嵌挿し、第１のガイドシャフト２３０に摺動可能に軸支される。
【００２７】
保持部３２１Ｂ１は、ピックアップベース３２０の長手方向の一端部における内側移動方向側に一体的に形成されている。この保持部３２１Ｂ１は、中心軸が両側移動方向である第１のガイドシャフト２３０の軸方向に沿った略円筒状で、軸方向の長さ寸法ｂ１、内径ｂ２、外径ｂ３に形成されている。そして、保持部３２１Ｂ１は、内周側に軸受３２１Ａを嵌合固定している。なお、軸受３２１Ａの軸方向の長さ寸法ａ１と保持部３２１Ｂ１の内周面側における軸方向の長さ寸法ｂ１とはほぼ等しく、軸受３２１Ａの外径ａ３と保持部３２１Ｂ１の内径ｂ２とはほぼ等しく設定されている。また、保持部３２１Ｂ１の外周面側における軸方向の長さ寸法は、軸受３２１Ａの軸方向の長さ寸法ａ１とほぼ等しいｂ１に限らずｂ１よりも大きい値とすることもできる。すなわち、内周面側で軸受３２１Ａに作業者の指が触れない構成となっていればよい。
【００２８】
また、保持部３２１Ｂ１の内側移動方向側の端部には、保持部３２１Ｂ１の内周面の内径ｂ２が径大となる略円筒状の軸受保護部３２１Ｃ１が一体的に形成されている。すなわち、この軸受保護部３２１Ｃ１は、中心軸が保持部３２１Ｂ１の中心軸に沿う状態に形成された略円筒状であり、保持部３２１Ｂ１の内側移動方向側の端面に一体的に形成されている。そして、軸受保護部３２１Ｃ１の軸方向の長さ寸法はｃ１、その内径はｃ２、その外径はｃ３に設定されている。つまり、軸受保護部３２１Ｃ１は、軸受３２１Ａの内側移動方向側の端部に臨みかつガイドシャフト２３０と干渉しない位置に設けられた状態となっている。また、軸受保護部３２１Ｃ１が保持部３２１Ｂ１の内側移動方向の端部に一体的に形成されたことから、軸受３２１Ａは、軸受３２１Ａの内側移動方向の端部が軸受保護部３２１Ｃ１の内側移動方向の端部よりも長さ寸法ｃ１だけガイドシャフト２３０の軸方向で内部側に位置する状態で、保持部３２１Ｂ１に嵌合保持された状態となっている。なお、軸受保護部３２１Ｃ１の軸方向の長さ寸法ｃ１は後述する所定の値に設定され、軸受保護部３２１Ｃ１の内径ｃ２は保持部３２１Ｂ１の内径ｂ２よりも大きく設定されている。また、軸受保護部３２１Ｃ１の外径ｃ３は保持部３２１Ｂ１の外径ｂ３と等しく設定されている。
【００２９】
そして、軸受保護部３２１Ｃ１の内周面における基端側には、その内周面と保持部３２１Ｂ１の内側移動方向における端面とにより径大段差部３２１Ｄが形成されている。すなわち、径大段差部３２１Ｄは、保持部３２１Ｂ１の内周面における内側移動方向の端部側が軸受保護部３２１Ｃ１の内周面における基端側よりも径小に設定されたことにより軸方向に段差状に形成されている。
【００３０】
第２の支持部３２２は、軸受３２２Ａと、軸受保護部３２２Ｃ１および径大段差部３２２Ｄが設けられる保持部３２２Ｂ１と、を備えている。なお、この第２の支持部３２２は、第１の支持部３２１とほぼ同様の構成であるため、同様の構成については説明を省略して相違する構成について説明する。保持部３２２Ｂ１は、ピックアップベース３２０の長手方向の一端部における外側移動方向側に一体的に形成されている。そして、保持部３２２Ｂ１には、外側移動方向における軸受３２２Ａの端部よりも外側移動方向に向けて、軸方向の長さ寸法ｃ１の分だけ延出する状態に軸受保護部３２２Ｃ１が一体的に形成されている。そして、この軸受保護部３２２Ｃ１の内周面における基端側には、段差状に径大段差部３２２Ｄが形成されている。
【００３１】
なお、第１の支持部３２１および第２の支持部３２２において、軸受保護部３２１Ｃ１，３２２Ｃ１は、それぞれ保持部３２１Ｂ１，３２２Ｂ１の両側移動方向の先端側に位置する状態に設けられている。すなわち、軸受保護部３２１Ｃ１は保持部３２１Ｂ１の内側移動方向側に形成され、軸受保護部３２２Ｃ１は保持部３２２Ｂ１の外側移動方向側に形成されている。しかし、これに限らず、軸受保護部３２１Ｃ１および軸受保護部３２２Ｃ１は、保持部３２１Ｂ１，３２２Ｂ１の軸方向における両端側にそれぞれ設けられていてもよい。
【００３２】
ここで、軸受保護部３２１Ｃ１，３２２Ｃ１における軸方向の長さ寸法ｃ１、すなわち、ガイドシャフト２３０における軸受保護部３２１Ｃ１の内側移動方向端部から軸受３２１Ａの内側移動方向端部までの距離ｃ１、および軸受保護部３２２Ｃ１の外側移動方向端部から軸受３２２Ａの外側移動方向端部までの距離ｃ１について説明する。
【００３３】
軸受保護部３２１Ｃ１，３２２Ｃ１における軸方向の長さ寸法ｃ１の下限値は、軸受保護部３２１Ｃ１，３２２Ｃ１の内径ｃ２と軸受３２１Ａ，３２２Ａの内径ａ２とに基づいて決定される。具体的には、軸受保護部３２１Ｃ１，３２２Ｃ１の長さ寸法ｃ１の下限値は、式１の関係を満足する値となる。すなわち、式１の関係を満足するｃ１は、作業者の手の指先が軸受保護部３２１Ｃ１，３２２Ｃ１の端部に押し当てた状態で、軸受保護部３２１Ｃ１，３２２Ｃ１の端部から内部に入り込む指先が軸受３２１Ａ，３２２Ａの端面に触れない限界距離である。
【００３４】
（式１）
ｃ１＝Ａ／４×（ｃ２２−ａ２２）−Ｂ／２×（ｃ２−ａ２）
Ａ＝０．３９−０．０１×ｃ２、Ｂ＝０．１２−０．００４×ｃ２
０ｍｍ＜ｃ２≦１１ｍｍ、ｃ２＞ａ２
【００３５】
このように、軸受保護部３２１Ｃ１，３２２Ｃ１の長さ寸法ｃ１は、軸受保護部３２１Ｃ１，３２２Ｃ１の内径ｃ２と軸受３２１Ａ，３２２Ａの内径ａ２とに基づいて、作業者が軸受３２１Ａの内側移動方向端部および軸受３２２Ａの外側移動方向端部を触れない程度に適宜設定される。例えば、軸受保護部３２１Ｃ１，３２２Ｃ１の内径ｃ２が４．００ｍｍで、軸受３２１Ａ，３２２Ａの内径ａ２が２．５０ｍｍである場合、軸受保護部３２１Ｃ１，３２２Ｃ１における軸方向の長さ寸法ｃ１は、０．７８ｍｍ以上に設定される。この場合、軸受保護部３２１Ｃ１，３２２Ｃ１における軸方向の長さ寸法ｃ１は、０．７８ｍｍよりも小さな値となってしまうと、作業者の手指の一部が軸受保護部３２１Ｃ１，３２２Ｃ１の内部に入り込み、軸受３２１Ａの内側移動方向端部および軸受３２２Ａの外側移動方向端部を触れてしまうおそれがある。したがって、軸受保護部３２１Ｃ１，３２２Ｃ１の長さ寸法ｃ１は、式１の関係を満足する値以上に設定されることが好ましい。
【００３６】
また、軸受保護部３２１Ｃ１，３２２Ｃ１における軸方向の長さ寸法ｃ１の上限値は、処理装置としてのピックアップ３１０の処理移動範囲、すなわち光ディスク１０の半径部分における記録面が形成された部位の円周方向長さによって決定される。具体的には、ピックアップ装置３００は、ディスク装置１００の小型化のため、ピックアップベース３２０の長手方向と直交する方向の長さが光ディスク１０の記録面が形成された部分の円周方向長さよりも小さく設計される。第１の支持部３２１および第２の支持部３２２は、ピックアップベース３２０の長手方向の一端側において、第１のガイドシャフト２３０の軸方向に沿って対をなして設けられる。このことにより、第１の支持部３２１もしくは第２の支持部３２２が設けられる軸方向の長さ範囲の上限値は、光ディスク１０の半径部分における記録面が形成された部位の円周方向長さの半分程度となる。
【００３７】
したがって、軸受保護部３２１Ｃ１，３２２Ｃ１における軸方向の長さ寸法ｃ１の上限値は、例えば、第１の支持部３２１もしくは第２の支持部３２２が設けられる軸方向の長さ範囲の上限値までに設定されることから、光ディスク１０の半径部分における記録面が形成された部位の円周方向長さの半分程度となる。例えば、半径が６０ｍｍの光ディスク１０において、光ディスク１０の半径部分における記録面が形成された部位の円周方向長さが５０ｍｍである場合、軸受保護部３２１Ｃ１，３２２Ｃ１における軸方向の長さ寸法ｃ１の上限値は２５ｍｍ程度となる。
【００３８】
なお、本実施形態では、処理装置としてピックアップ３１０を適用したため、軸受保護部３２１Ｃ１，３２２Ｃ１における軸方向の長さ寸法ｃ１の上限値は、処理装置としてのピックアップ３１０の処理移動範囲によって決定されるとした。しかし、処理装置としてその他の処理装置を用いた場合、軸受保護部の軸方向長さ寸法の上限値は、処理装置の処理移動範囲により決定される。例えば、処理装置として微小な被計測物の寸法を測定する測定部を搭載した寸法測定装置に適用した場合は、軸受保護部の軸方向長さ寸法の上限値は、寸法測定装置の処理移動範囲により決定される。
【００３９】
第３の支持部３２３は、ピックアップベース３２０の長手方向の他端部に、長手方向と直交する方向に沿った凹溝状に設けられている。そして、第３の支持部３２３は、第２のガイドシャフト２３１を摺動可能に嵌合し、ピックアップベース３２０の長手方向の他端側を支持する。なお、第３の支持部３２３は、少なくとも内周面が、軸受３２１Ａ，３２２Ａと同様に、ＦｅもしくはＣｕを主成分とする金属材料などの比較的に高い耐磨耗性を有しかつ比較的に硬質の材料によって形成することが望ましい。
【００４０】
移動規制爪部３２４は、ピックアップベース３２０の長手方向と直交する方向の一端側で第１の支持部３２１と第２の支持部３２２との略中間に設けられている。この移動規制爪部３２４は、リードスクリュ２４２の係合溝２４２Ａに係合し、リードスクリュ２４２が回転することにより係合溝２４２Ａに沿って移動し、ピックアップベース３２０を移動させる。
【００４１】
駆動部４００は、制御回路部からの制御によりディスク処理部２００を適宜回動させる。すなわち、駆動部４００は、搬送手段５００により光ディスク１０が搬送される際、ターンテーブル２２２が光ディスク１０の移動経路上から後退して待避する状態にディスク処理部２００を回動させる。また、駆動部４００は、光ディスク１０がケース体１１０内でピックアップ装置３００にて情報処理される位置、いわゆるホームポジションに搬送された状態（図１参照）では、ターンテーブル２２２が光ディスク１０の移動経路上に進出する状態に、ディスク処理部２００を回動させる。
【００４２】
搬送手段５００は、光ディスク１０をケース体１１０内外へ搬送する。この搬送手段５００は、複数のアーム５１０を備えている。各アーム５１０は、適宜細長板状に形成され、それぞれ長手方向の一端部がケース体１１０に回動可能に軸支され、他端部が光ディスク１０の周縁に当接可能となっている。そして、各アーム５１０は、制御回路部の制御により回動し、長手方向の各他端部を光ディスク１０の周縁に適宜当接させ、搬送する。
【００４３】
制御回路部は、ディスク装置１００全体の動作を制御する。すなわち、制御回路部は、上述したように、アーム５１０を回動させて光ディスク１０をケース体１１０内外へ搬送する処理、駆動部４００を制御して光ディスク１０の搬送状況に対応してディスク処理部２００を回動させる処理、ディスク回転駆動手段２２０を制御して光ディスク１０を適宜回転させる処理、処理移動手段２４０を制御してピックアップ装置３００を適宜移動させる処理、ピックアップ３１０を制御して光ディスク１０の情報処理、などを実施する。
【００４４】
（ディスク装置の動作）
次に、上記第１の実施の形態におけるディスク装置１００の動作として、ピックアップ装置３００の製造動作について説明する。
【００４５】
上記のピックアップ装置３００の製造動作において、ピックアップベース３２０を、軸受保護部３２１Ｃ１，３２２Ｃ１を備えた保持部３２１Ｂ１，３２２Ｂ１が一動作で一体的に形成される状態に、例えばＡｌを主成分とする金属材料などでアルミダイキャスト法などにより成型する。そして、別途ＦｅもしくはＣｕを主成分とする金属材料などによって形成した軸受３２１Ａ，３２２Ａを、保持部３２１Ｂ１，３２２Ｂ１の内部にそれぞれ圧入し、嵌合固定する。この軸受３２１Ａの嵌合固定では、保持部３２１Ｂ１の内側移動方向端部から軸受３２１Ａを圧入し、軸受３２１Ａの内側移動方向の端面が径大段差部３２１Ｄと対応する位置、すなわち保持部３２１Ｂ１の内側移動方向における端面と対応する位置まで圧入して嵌合固定する。一方、軸受３２２Ａの嵌合固定では、保持部３２２Ｂ１の外側移動方向端部から軸受３２２Ａを圧入し、軸受３２２Ａの外側移動方向の端面が径大段差部３２２Ｄと対応する位置、すなわち保持部３２２Ｂ１の外側移動方向における端面と対応する位置まで圧入して嵌合固定する。
【００４６】
また、ピックアップ装置３００の製造動作において、作業者がピックアップ装置３００を掴む場合、第１の支持部３２１の内側移動方向端部と第２の支持部３２２の外側移動方向端部を、例えば人差し指と親指などで挟んで掴むことが多い。すなわち、ピックアップ装置３００は、精密機器のピックアップ３１０を搭載しているので、この部分を触らずに、掴み易い部分である第１の支持部３２１の内側移動方向端部と第２の支持部３２２の外側移動方向端部を軸方向で掴むこととなる。例えば、ピックアップベース３２０にピックアップ３１０を組み込む工程や、ピックアップ装置３００に第１のガイドシャフト２３０および第２のガイドシャフト２３１を嵌挿する工程などにおいて、作業者は第１の支持部３２１の内側移動方向端部と第２の支持部３２２の外側移動方向端部を手指で掴む。この場合、作業者が手で第１の支持部３２１の内側移動方向端部と第２の支持部３２２の外側移動方向端部を掴んだとしても、軸受保護部３２１Ｃ１および軸受保護部３２２Ｃ１が障害となることにより、軸受３２１Ａの内側移動方向端部および軸受３２２Ａの外側移動方向端部を触ることがなく、これら端部に汚れが付着することがない。また、軸受保護部３２１Ｃ１および軸受保護部３２２Ｃ１により、ピックアップ装置３００の製造中に使用する冶具などが軸受３２１Ａの内側移動方向端部および軸受３２２Ａの外側移動方向端部を触ることがなく、これら端部に汚れが付着することもない。
【００４７】
（第１の実施の形態における作用効果）
上述したように、上記第１の実施の形態では、ピックアップ装置３００は、ピックアップ３１０と、ガイドシャフト２３０に沿って移動するピックアップベース３２０と、第１のガイドシャフト２３０に摺動可能に軸支される略円筒状の軸受３２１Ａ，３２２Ａと、軸受３２１Ａ，３２２Ａの両側移動方向側の端部に臨む位置に形成された軸受保護部３２１Ｃ１，３２２Ｃ１と、を備えている。このため、ピックアップベース３２０を比較的に高い剛性率を有した材料で形成し、軸受３２１Ａ，３２２Ａをピックアップベース３２０よりも硬質の材料で形成することができる。このことにより、高精度の情報処理を実施するピックアップ３１０を良好に搬送することができる。また、ピックアップ装置３００の組立作業において、作業者が軸受３２１Ａ，３２２Ａの両側移動方向側の端部を触ることがない。したがって、軸受３２１Ａ，３２２Ａの両側移動方向側の端部に汚れが付着したり、端部が錆びたりすることがなく、ガイドシャフト２３０との良好な摺動を維持でき、高精度の情報処理を実施するピックアップ３１０を良好に搬送することができる。
【００４８】
また、軸受保護部３２１Ｃ１，３２２Ｃ１が、それぞれ保持部３２１Ｂ１，３２２Ｂ１の両側移動方向の端部に一体的に形成されている。これにより、軸受３２１Ａ，３２２Ａは、軸受３２１Ａ，３２２Ａの両側移動方向の端部が軸受保護部３２１Ｃ１，３２２Ｃ１の両側移動方向の端部よりも長さ寸法ｃ１だけガイドシャフト２３０の軸方向で内部側に位置する状態で、保持部３２１Ｂ１，３２２Ｂ１に嵌合保持された状態となっている。このため、ピックアップ装置３００の組立作業において、作業者が軸受３２１Ａ，３２２Ａの両側移動方向側の端部を触ることがない。したがって、軸受３２１Ａ，３２２Ａの両側移動方向側の端部に汚れが付着したり、端部が錆びたりすることがなく、ガイドシャフト２３０との良好な摺動を維持でき、高精度の情報処理を実施するピックアップ３１０を良好に搬送することができる。
【００４９】
そして、ピックアップ装置３００は、第１のガイドシャフト２３０の軸方向に沿ってピックアップベース３２０の長手方向の一端側に形成された複数の軸受３２１Ａ，３２２Ａを備えている。また、保持部３２１Ｂ１，３２２Ｂ１には、これら軸受３２１Ａ，３２２Ａにおける第１のガイドシャフト２３０の軸方向に対応する両端部のうちの少なくとも両側移動方向における端部に臨む位置に、軸受保護部３２１Ｃ１，３２２Ｃ１を設けている。このため、ピックアップベース３２０の長手方向の一端側は２つの軸受３２１Ａ，３２２Ａによって支持され、ピックアップ装置３００の安定した移動を確保できる。そして、軸受保護部３２１Ｃ１，３２２Ｃ１は、保持部３２１Ｂ１，３２２Ｂ１の軸方向における両端部のうち移動方向側における端部にのみ設けられている。このため、例えばピックアップ装置３００の組立工程において、作業者がピックアップベース３２０を掴む場合、第１の支持部３２１の内側移動方向端部と第２の支持部３２２の外側移動方向端部を人差し指と親指となどで挟んで掴んだとしても、簡単な構成で、軸受３２１Ａ，３２２Ａの両側移動方向側の端部を触ることを防ぐことが容易にできる。
【００５０】
また、ピックアップベース３２０は例えばＡｌを主成分とする金属材料などで形成され、軸受３２１Ａ，３２２ＡはＡｌを主成分とする金属材料よりも硬質の材料、例えばＦｅもしくはＣｕを主成分とする金属材料などで形成されている。そして、ピックアップベース３２０は、軸受３２１Ａ，３２２Ａを保持する保持部３２１Ｂ１，３２２Ｂ１を備えている。このため、複雑な形状のピックアップベース３２０を異形成形が比較的に容易なＡｌを主成分とする金属材料などで一体的に形成することにより、ピックアップ装置３００製造効率を向上できる。さらに、保持部３２１Ｂ１，３２２Ｂ１を介することにより、別部材で形成されたピックアップベース３２０と軸受３２１Ａ，３２２Ａとを、それぞれ連結できる。したがって、ピックアップ装置３００は、移動の際に発生する振動を抑えることができ、かつ長時間の使用による軸受３２１Ａ，３２２Ａの損耗を防ぐことができる。これにより、ピックアップ装置３００は、良好な摺動を確保でき、かつ高い処理精度を実現できる。
【００５１】
そして、軸受保護部３２１Ｃ１，３２２Ｃ１は、保持部３２１Ｂ１，３２２Ｂ１に設けられ、かつ、移動方向における軸受３２１Ａ，３２２Ａの端部よりも移動方向に向け延出している。このため、ピックアップ装置の組立工程において、作業者が誤って軸受３２１Ａ，３２２Ａの移動方向側の端部を触ることを、確実に防ぐことができる。
【００５２】
また、軸受３２１Ａ，３２２Ａは円筒状であり、筒状の保持部３２１Ｂ１，３２２Ｂ１は、その中心軸はガイドシャフト２３０の軸方向に沿っており、この保持部３２１Ｂ１，３２２Ｂ１の内周面の全面で軸受３２１Ａ，３２２Ａの外周面の全面をそれぞれ内包している。そして、軸受保護部３２１Ｃ１，３２２Ｃ１は、略円筒状であり、その中心軸はガイドシャフト２３０の軸方向に沿っており、かつ、保持部３２１Ｂ１，３２２Ｂ１に設けられている。さらに、軸受保護部３２１Ｃ１，３２２Ｃ１は、移動方向における軸受３２１Ａ，３２２Ａの端部よりも移動方向に向けて延出する状態にそれぞれ突設している。このため、保持部３２１Ｂ１，３２２Ｂ１の内周面で軸受３２１Ａ，３２２Ａを確実に保持することができ、ピックアップ装置３００の安定した移動が容易に得られる。また、保持部３２１Ｂ１，３２２Ｂ１と、軸受保護部３２１Ｃ１，３２２Ｃ１と、を同一軸において一体的に形成できるので、構造が単純となり、装置設計が容易にできる。
【００５３】
そして、ピックアップベース３２０は、例えば、Ａｌを主成分とする金属材料で形成されている。このＡｌを主成分とする金属材料は、比較的に加工が容易な材料であるため、複雑な形状のピックアップベース３２０をアルミダイキャスト法などにより一度に成形することができ、高い製造効率を確保することができる。また、Ａｌを主成分とする金属材料は、比較的に高い剛性率を有した材料であるため、ピックアップ装置３００の移動において発生する振動を抑えることができ、ピックアップ装置３００の良好な移動を確保できる。さらに、Ａｌを主成分とする金属材料は比較的に高温による影響が少ないため、ディスク装置１００の各部から発生する熱による処理精度への影響を抑えることができる。
【００５４】
また、軸受３２１Ａ，３２２Ａは、例えば、ＦｅもしくはＣｕを主成分とする金属材料で形成されている。このため、これら軸受３２１Ａ，３２２Ａの中に多数の微小孔を形成することができ、この微小孔に潤滑油を溜めることによって、軸受３２１Ａ，３２２Ａとガイドシャフト２３０との摩擦抵抗が減少する。したがって、ピックアップ装置３００は滑らかな摺動性を確保することができ、より高精度の移動制御ができる。そして、ＦｅおよびＣｕを主成分とする金属材料はＡｌを主成分とする金属材料よりも高い剛性率を有しているため、ピックアップ装置３００の移動において発生する振動を抑えることができ、ピックアップ装置３００の良好な移動を確保できる。さらに、ＦｅおよびＣｕを主成分とする金属材料は耐磨耗性にも優れているため、ピックアップ装置３００の長時間の使用による軸受３２１Ａ，３２２Ａの損耗を防ぐことができる。したがって、ピックアップ装置３００は、長時間において高い処理精度を確保することができる。
【００５５】
さらに、第１のガイドシャフト２３０および第２のガイドシャフト２３１は、一対で互いに平行に設けられる。また、ピックアップベース３２０は、これらガイドシャフト２３０，２３１間に架橋する状態に支持される。このため、ピックアップベース３２０がガイドシャフト２３０，２３１に沿って移動される際に、横揺れすることがなく、安定した摺動性を確保できる。したがって、ピックアップ装置３００は、高い処理精度を確保することができる。
【００５６】
また、軸受保護部３２１Ｃ１の内周面における基端側には、その内周面と、保持部３２１Ｂ１の内側移動方向における端面と、により径大段差部３２１Ｄが形成されている。一方、軸受保護部３２２Ｃ１の内周面における基端側には、その内周面と、保持部３２２Ｂ１の外側移動方向における端面と、により径大段差部３２２Ｄが形成されている。このため、軸受３２１Ａ，３２２Ａの圧入作業が容易にできるとともに、段差状となる基端部が圧入する位置の目印となり、圧入作業が容易にできる。
【００５７】
〔第２の実施の形態〕
次に、本発明における第２の実施の形態を図４に基づいて説明する。
【００５８】
図４は、本発明の第２の実施の形態におけるピックアップベースの要部を示す断面図である。この図４に示す第２の実施の形態は、図１ないし図３に示す第１の実施の形態における保持部３２１Ｂ１，３２２Ｂ１の構成を変えたものである。このため、第１の実施の形態と同一の構成については、同一の符号を付して説明を省略または簡略化する。また、保持部３２１Ｂ２および保持部３２２Ｂ２は同様の構成であるため、以下、保持部３２２Ｂ２については説明を省略する。
【００５９】
（保持部の構成）
保持部３２１Ｂ２は、図４に示すように、第１の実施の形態と同様に、その中心軸が第１のガイドシャフト２３０の軸方向に沿って略円筒状に形成されており、ピックアップベース３２０の長手方向の一端側における内側移動方向側に一体的に形成されている。この保持部３２１Ｂ２は、軸方向の長さ寸法がｂ４、内径がｂ２、外径がｂ３に設定されている。そして、保持部３２１Ｂ２の長さ寸法ｂ４は、図３に示す第１の実施の形態における保持部３２１Ｂ１の長さ寸法ｂ１よりもｃ１だけ大きく設定されている。
【００６０】
また、軸受３２１Ａは、保持部３２１Ｂ２の内周面で嵌合保持されている。そして、軸受３２１Ａは、その内側移動方向端部が保持部３２１Ｂ２内面における内側移動方向端部よりも外側移動方向側に所定の長さ寸法ｃ１だけ保持部３２１Ｂ２の内部側に位置する状態に配置されている。なお、軸受３２１Ａの外径ａ３と保持部３２１Ｂ２の内径ｂ２とはほぼ等しく設定されている。
【００６１】
ここで、保持部３２１Ｂ２の内側移動方向端部側は、軸受保護部３２１Ｃ２として機能する。すなわち、保持部３２１Ｂ２において、保持部３２１Ｂ２の軸受３２１Ａの内側移動方向端面に対応する部位から保持部３２１Ｂ２の内側移動方向端面までの部位は、軸受３２１Ａの内側移動方向端面よりも内側移動方向に長さ寸法ｃ１だけ延出する状態となっている。そして、この保持部３２１Ｂ２の内側移動方向端部側は、軸受３２１Ａの内側移動方向側の端部に臨みかつガイドシャフト２３０と干渉しない位置に設けられた軸受保護部３２１Ｃ２として機能する。なお、第２の実施の形態における長さ寸法ｃ１は、上記した式１の関係を満足する値以上に設定され、また、光ディスク１０の半径部分における記録面が形成された部位の円周方向長さの半分以下に設定される。この場合、式１におけるｃ２は、ｂ２に置き換える。
【００６２】
（第２の実施の形態における作用効果）
上述したように、上記第２の実施の形態では、上記図１ないし図３に示す第1の実施の形態の作用効果と同様の作用効果を奏する。
【００６３】
すなわち、保持部３２１Ｂ２は、中心軸が第１のガイドシャフト２３０の軸方向に沿って略円筒状に形成され、その内周面で軸受３２１Ａを嵌合保持する。この軸受３２１Ａは、その内側移動方向端部が保持部３２１Ｂ２内面における内側移動方向端部よりも外側移動方向側に所定の長さ寸法ｃ１だけ保持部３２１Ｂ２の内部側に位置する状態に配置されている。このため、保持部３２１Ｂ２の内側移動方向端部側は、保持部３２１Ｂ２の軸受３２１Ａの内側移動方向端面に対応する部位から保持部３２１Ｂ２の内側移動方向端面までの部位が、軸受３２１Ａの内側移動方向端面よりも内側移動方向に長さ寸法ｃ１だけ延出する状態となっている。これにより、保持部３２１Ｂ２の内側移動方向端部側は、軸受保護部３２１Ｃ２として機能する。したがって、第１の実施の形態と同様に、ピックアップベース３２０を比較的に高い剛性率を有した材料で形成し、軸受３２１Ａをピックアップベース３２０よりも硬質の材料で形成することができる。これにより、高精度の情報処理を実施するピックアップ３１０を良好に搬送することができる。また、ピックアップ装置３００の組立作業において、保持部３２１Ｂ２の内側移動方向端部側が軸受保護部３２１Ｃ２として機能するため、簡単な構成で作業者が軸受３２１Ａの移動方向側の端部を触ることを防ぐことができる。したがって、軸受３２１Ａの移動方向側の端部に汚れが付着することがなく、ガイドシャフト２３０との良好な摺動を維持できる。さらに、装置設計がより簡易となり、製造効率を向上することができる。
【００６４】
〔第３の実施の形態〕
次に、本発明における第３の実施の形態を図５に基づいて説明する。
【００６５】
図５は、本発明の第３の実施の形態におけるピックアップベースの要部を示す断面図である。この図５に示す第３の実施の形態は、図４に示す第２の実施の形態における保持部３２１Ｂ２の内側移動方向端部を、内周面が開口端へ向けて拡径する状態に形成したものである。このため、第２の実施の形態と同一の構成については、同一の符号を付して説明を省略または簡略化する。
【００６６】
（保持部の構成）
図５に示すように、軸受３２１Ａは、保持部３２１Ｂ３の内周面で嵌合保持されている。そして、軸受３２１Ａは、その内側移動方向端部が保持部３２１Ｂ３内面における内側移動方向端部よりも外側移動方向側に所定の長さ寸法ｃ１だけ保持部３２１Ｂ３の内部側に位置する状態に配置されている。また、保持部３２１Ｂ３の内面における内側移動方向の端部側には、軸受３２１Ａの内側移動方向端部に対応する部位から内側移動方向に向けて拡径するテーパ部３２１Ｅが形成されている。このテーパ部３２１Ｅは、その外側移動方向側の内径がｅ１に設定され、その外側移動方向側の内径がｅ１と比べて大きな値であるｅ２に設定されている。なお、上記第２の実施の形態と同様に、保持部３２１Ｂ３の内側移動方向端部側は、軸受保護部３２１Ｃ３として機能する。そして、第３の実施の形態における長さ寸法ｃ１は、上記した式１の関係を満足する値以上に設定され、また、光ディスク１０の半径部分における記録面が形成された部位の円周方向長さの半分以下に設定される。この場合、式１におけるｃ２は、ｅ２に置き換える。
【００６７】
（ディスク装置の動作）
次に、上記第３の実施の形態におけるディスク装置１００の動作として、ピックアップ装置３００の製造動作について説明する。ピックアップ装置３００の製造動作において、軸受３２１Ａを保持部３２１Ｂ３の内部にそれぞれ圧入し、嵌合固定する。この軸受３２１Ａの嵌合固定では、テーパ部３２１Ｅが形成された保持部３２１Ｂ３の内側移動方向端部から軸受３２１Ａを圧入し、軸受３２１Ａの内側移動方向の端面が保持部３２１Ｂ３の外側移動方向端面と対応する位置まで圧入して嵌合固定する。
【００６８】
（第３の実施の形態における作用効果）
上述したように、上記第３の実施の形態では、上記図４に示す第２の実施の形態の作用効果に加え、以下に示す作用効果を奏する。
【００６９】
すなわち、保持部３２１Ｂ３の内面における内側移動方向の端部側には、軸受３２１Ａの内側移動方向端部に対応する部位から内側移動方向に向けて拡径するテーパ部３２１Ｅが形成されている。このため、ピックアップ装置３００の製造動作において、軸受３２１Ａの圧入の際にテーパ部３２１Ｅにて案内される状態となり、圧入作業が容易にできる。また、テーパ部３２１Ｅは、保持部３２１Ｂ３の内面における内側移動方向の端部側が軸受３２１Ａの内側移動方向端部に対応する部位から内側移動方向に向け拡径するという単純な構成であるので、単純な機械加工により形成することができる。
【００７０】
〔第４の実施の形態〕
次に、本発明における第４の実施の形態を図６に基づいて説明する。
【００７１】
図６は、本発明の第４の実施の形態におけるピックアップベースの要部を示す断面図である。この図６に示す第４の実施の形態は、図４に示す第２の実施の形態における保持部３２１Ｂ２に、軸受３２１Ａの位置決めのための段差を設けたものである。このため、第２の実施の形態と同一の構成については、同一の符号を付して説明を省略または簡略化する。
【００７２】
（保持部の構成）
保持部３２１Ｂ４は、図６に示すように、軸方向の長さ寸法がｂ５、内径がｂ２、外径がｂ３に設定されている。この保持部３２１Ｂ２の長さ寸法ｂ５は、図４に示す第２の実施の形態における保持部３２１Ｂ２の長さ寸法ｂ４よりもｆ１だけ大きく設定されている。そして、保持部３２１Ｂ４の内周面における外側移動方向の端部側には、内方に向けて突出した段差部３２１Ｆが設けられている。すなわち、段差部３２１Ｆは、保持部３２１Ｂ４の内周面における外側移動方向側の一部が内方に向けて内周面が同軸上で径小となる状態に突設された段差である。この段差部３２１Ｆは、保持部３２１Ｂ４の内部において、内側移動方向における軸受３２１Ａの端部が当接され、軸受３２１Ａを軸方向で移動規制する。そして、段差部３２１Ｆは、軸方向の長さ寸法がｆ１に設定され、その内径がｆ２に設定される。また、段差部３２１Ｆの長さ寸法ｆ１は所定の値に設定され、段差部３２１Ｆの内径ｆ２は軸受３２１Ａの内径ａ２よりも大きくかつ軸受３２１Ａの外径ａ３よりも小さく設定されている。
【００７３】
そして、軸受３２１Ａは、保持部３２１Ｂ４の内周面で嵌合保持されている。また、軸受３２１Ａは、その内側移動方向端部が保持部３２１Ｂ４内面における内側移動方向端部よりも外側移動方向側に所定の長さ寸法ｃ１だけ保持部３２１Ｂ４の内部側に位置する状態に配置されている。なお、第４の実施の形態における長さ寸法ｃ１は、上記した式１の関係を満足する値以上に設定され、また、光ディスク１０の半径部分における記録面が形成された部位の円周方向長さの半分以下に設定される。この場合、式１におけるｃ２は、ｂ２に置き換える。
【００７４】
また、段差部３２１Ｆの内径ｆ２は、軸受３２１Ａの内径ａ２とほぼ同じ値に設定される構成としてもよい。この場合、段差部３２１Ｆは、軸受３２１Ａと同様に、段差部３２１Ｆの内周面がガイドシャフト２３０の外周面に当接されるために、軸受として機能する。このため、軸受３２１Ａの長さ寸法ａ１は、段差部３２１Ｆの長さ寸法ｆ１の分短く設定することできる。また、保持部３２１Ｂの内部に段差部３２１Ｆを設けるという構成は、上記図１ないし図３に示す第１の実施の形態、上記図４に示す第２の実施の形態および上記図５に示す第３の実施の形態において適用しても構わない。また、段差部３２１Ｆは、保持部３２１Ｂ４に対応した円筒形状に限らず、内方にリブ状に１つあるいは複数突出する構成など、いずれの形状でもできる。
【００７５】
また、上記第２の実施の形態と同様に、保持部３２１Ｂ４の内側移動方向端部側は、軸受保護部３２１Ｃ４として機能する。すなわち、保持部３２１Ｂ４において、保持部３２１Ｂ４の軸受３２１Ａの内側移動方向端面に対応する部位から保持部３２１Ｂ４の内側移動方向端面までの部位は、軸受３２１Ａの内側移動方向端面よりも内側移動方向に長さ寸法ｃ１だけ延出する状態となっている。そして、保持部３２１Ｂ４の内側移動方向端部側は、軸受３２１Ａの内側移動方向側の端部に臨みかつガイドシャフト２３０と干渉しない位置に設けられた軸受保護部３２１Ｃ１として機能する。
【００７６】
（ディスク装置の動作）
次に、上記第４の実施の形態におけるディスク装置１００の動作として、ピックアップ装置３００の製造動作について説明する。ピックアップ装置３００の製造動作において、軸受３２１Ａを保持部３２１Ｂ４の内部にそれぞれ圧入し、嵌合固定する。この軸受３２１Ａの嵌合固定では、保持部３２１Ｂ３の内側移動方向端部から軸受３２１Ａを圧入していくと、軸受３２１Ａの内側移動方向の端面が段差部３２１Ｆの外側移動方向端面と当接することにより、所定の位置で軸受３２１Ａが係止される。この状態において、軸受３２１Ａを保持部３２１Ｂ４内部において嵌合固定する。
【００７７】
（第４の実施の形態における作用効果）
上述したように、上記第４の実施の形態では、上記図４に示す第２の実施の形態の作用効果に加え、以下の作用効果を奏する。
【００７８】
すなわち、保持部３２１Ｂ４の内周面における外側移動方向側の一部に、内方に向けて径小に突設され、内側移動方向における軸受３２１Ａの端部が当接されて軸受３２１Ａを移動規制する段差部３２１Ｆを設けている。このため、軸受３２１Ａを保持部３２１Ｂ４の内側移動方向側から内部に圧入すると、軸受３２１Ａの外側移動方向端部が段差部３２１Ｆの内側移動方向側端面に当接して係止される。したがって、保持部３２１Ｂ４の内周面における外側移動方向側に段差部３２１Ｆを設けるという簡単な構成で、軸受３２１Ａが保持部３２１Ｂの内部で確実に位置決めされ、軸受３２１Ａを確実に所定の位置に容易に配設できる。なお、保持部３２１Ｂの内部に段差部３２１Ｆを設けるという構成を、上記図１ないし図３に示す第１の実施形態、上記図４に示す第２の実施形態および上記図５に示す第３の実施形態において適用した場合も、本作用効果を奏する。
【００７９】
〔実施の形態の変形〕
なお、本発明は、上述した各実施の形態に限定されるものではなく、本発明の目的を達成できる範囲で以下に示される変形をも含むものである。
【００８０】
すなわち、本発明の処理装置としては、上述したように処理部としてピックアップ３１０を搭載したピックアップ装置３００について例示したが、これに限らず、例えば、微小な被計測物の寸法を測定する測定部を搭載した寸法測定装置や、温度情報、光情報、熱情報などの様々な物理情報を収集するセンサー部を搭載したセンサー装置や切削加工処理や塗装処理などの表面処理を実施する表面処理装置などに適用してもよい。
【００８１】
また、各実施の形態では、ディスク状の記録媒体を利用するディスク装置１００について例示したが、いわゆるスロットインタイプのディスク装置の他、いわゆるスリムディスクドライブなど、いずれのディスク装置をも対象とすることができる。また、本実施の形態では、携帯型のパーソナルコンピュータなどの電気機器に装着されるいわゆる薄型のスロットインタイプのディスク装置を例示したが、薄型の構成に限られない。そして、各種アーム５１０などを備えた搬送手段５００により光ディスク１０を搬送する構成に限らず、ローラを用いて搬送する構成など、いずれの構成も適用できる。さらに、記録媒体としては、ディスク状の記録媒体に限らず、上述したように、いずれの記録媒体を対象とすることができる。
【００８２】
そして、支持軸として、第１のガイドシャフト２３０と第２のガイドシャフト２３１との２本を採用したがこれに限らない。例えば、ガイドシャフトの数がさらに多くてもよく、例えば、ピックアップベース３２０の長手方向両端側と略中央側において３本のガイドシャフトが互いに平行に配置される構成であってもよい。このようにガイドシャフトの数を増やすことで、衝撃などに強い構成にすることができる。一方、１のガイドシャフトで軸支する構成としてもよい。このような構成では、構成が簡略化し、小型軽量化、製造性の向上、コストの低減などが容易に図れる。
【００８３】
また、各実施の形態では、ガイドシャフト２３０は断面形状が円形の細長棒状体であり、円筒状体の軸受３２１Ａ，３２２Ａの孔にこのガイドシャフト２３０が挿通される。そして、支持部３２３は、開口部を有した凹溝状に形成され、ガイドシャフト２３０にこの支持部３２３の内部が嵌合する構成について説明したが、係合の仕方はこれらに限らない。例えば、断面矩形状の細長棒状体であるガイドシャフトが、断面矩形状の角筒状体である軸受に挿通される構成とするなどしてもよい。
【００８４】
そして、ピックアップベース３２０にＡｌを主成分とする金属材料を用いた構成を採用したが、これに限らない。すなわち、ピックアップベース３２０には、ステンレス鋼やチタンを主成分とする金属材料など、比較的高い剛性率および耐熱性を有した材料であれば、様々な材料を用いることができる。さらに、軸受３２１Ａ、３２２ＡにＦｅもしくはＣｕを主成分とする金属材料を用いる構成としたが、これに限らず、比較的高い剛性を有し、耐磨耗性に優れた材料であればいずれの材料をも適用できる。例えば、炭化珪素や窒化珪素などのセラミックス材料であってもよい。さらには、多孔質に形成することなく、内周面に油溝が設けられた構成などとしてもよい。
【００８５】
また、第１の実施の形態では、第１の支持部３２１は、軸受３２１Ａと、軸受保護部３２１Ｃ１を備えた保持部３２１Ｂ１と、を備えている。そして、第２ないし第４の実施の形態では、第１の支持部３２１は、軸受３２１Ａと、保持部３２１Ｂ２〜３２１Ｂ４と、を備え、軸受３２１Ａの内側移動方向端部を保持部３２１Ｂの内奥に配置することにより軸受保護部３２１Ｃ１と同様の作用効果を奏する構成について説明している。なお、本発明では、軸受３２１Ａ，３２２Ａの端面を保護する構成であれば、いずれの形態も適用できる。
【００８６】
例えば、軸受保護部３２１Ｃ１〜３２１Ｃ４は保持部３２１Ｂ１〜３２１Ｂ４に設けられる構成としたが、これに限らない。すなわち、軸受保護部は、ピックアップベース３２０、軸受３２１Ａ、保持部３２１Ｂ１〜３２１Ｂ４のいずれに取り付けられてもよく、また、軸受保護部が何ヶ所に設けられてもよい。さらに、軸受保護部が別体として取り付けられる、すなわち、例えば高分子材料製のキャップのようなもので形成した軸受保護部で軸受３２１Ａの内側移動方向側端部を覆うような構成であってもよい。
【００８７】
また、例えば、軸受保護部の形状は、軸受保護部３２１Ｃ１で示したような円筒状に限らない。すなわち、例えば、軸受保護部３２１Ｃ１の内側移動方向端面が鋸歯状や波形状に凹凸となる状態に形成する構成や、軸受保護部３２１Ｃ１の内周面における内側移動方向側にガイドシャフト２３０と干渉しない位置にリブを複数設ける構成などとしてもよい。
【００８８】
さらに、例えば、図７に示すように、第２ないし第４の実施の形態のような構成に、さらに、凸部３２１Ｇを加えた構成としてもよい。すなわち、図７において、保持部３２１Ｂ５は、軸方向の長さ寸法がｂ６、内径がｂ２、外径がｂ３に設定されている。この保持部３２１Ｂ２の長さ寸法ｂ６は、軸受３２１Ａの長さ寸法ａ１よりも所定寸法だけ大きく設定されている。そして、保持部３２１Ｂ５の内側移動方向端部側には、中心軸が保持部３２１Ｂ５の中心軸に沿った円筒形状の凸部３２１Ｇが一体形成されている。この凸部３２１Ｇは、軸方向の長さ寸法がｇ１、内径がｇ２、外径がｇ３に設定されている。そして、凸部３２１Ｇの内径ｇ２は保持部３２１Ｂ５の内径ｂ２と等しく、凸部３２１Ｇの外径ｇ３は保持部３２１Ｂ５の外径よりも小さく設定されている。この保持部３２１Ｂ５に軸受３２１Ａを圧入する際は、軸受３２１Ａの外側移動方向端面が保持部３２１Ｂ５の外側移動方向端面と対応する位置まで圧入する。これにより、軸方向における凸部３２１Ｇの内側移動方向端面から軸受３２１Ａの内側移動方向端面までの距離がｃ１となっている。すなわち、凸部３２１Ｇおよび保持部３２１Ｂ５の内側移動方向端部側が、軸受保護部３２１Ｃ５として機能する。なお、この長さ寸法ｃ１は、上記した式１の関係を満足する値以上に設定され、また、光ディスク１０の半径部分における記録面が形成された部位の円周方向長さの半分以下に設定される。この場合、式１におけるｃ２は、ｇ２に置き換える。
【００８９】
他には、例えば図８に示すように、軸受保護部として別体構造のものを設けてもよい。すなわち、複数の釘ねじなどの釘状体３２１Ｈを、保持部３２１Ｂ６の内側移動方向側に設ける。この釘状体３２１Ｈの内側移動方向端部から保持部３２１Ｂ６の内側移動方向端部までは軸方向で距離ｃ１だけ確保され、ガイドシャフト２３０の中心軸を挟んで対向配置された一対の釘状体３２１Ｈ間の距離がｈ１だけ確保される構成などとしてもよい。なお、図８における長さ寸法ｃ１は、上記した式１の関係を満足する値以上に設定され、また、光ディスク１０の半径部分における記録面が形成された部位の円周方向長さの半分以下に設定される。この場合、式１におけるｃ２は、ｈ１に置き換える。このような構成でも、釘状体３２１Ｈの内側移動方向端部から保持部３２１Ｂ６の内側移動方向端部までが軸受保護部３２１Ｃ６として機能するため、一対の釘状体３２１Ｈ間の距離ｈ１を適切に調整することにより、軸受３２１Ａの内側移動方向端部を作業者が触ってしまうことを防げる。なお、図８のような構成の場合、複数の釘状体３２１Ｈの取付位置はガイドシャフト２３０の中心軸を基準としてそれぞれ対称する位置とする構成に限らず、それぞれの釘状体３２１Ｈが非対称的に位置する構成としても構わない。この場合、式１において置き換えたｈ１は、ガイドシャフト２３０の中心軸からそれぞれの釘状体３２１Ｈまでの軸直交方向での距離が最も大きい値のものとする。
【００９０】
また、軸受３２１Ａは保持部３２１Ｂ１〜３２１Ｂ４の内部に内包される構成としたが、これに限らない。すなわち、例えば図９に示すように、第1の支持部３２１は、軸受３２１Ａと、保持部３２１Ｂ７と、複数のねじ状体３２１Ｊと、を備えている。保持部３２１Ｂ７は、１つの軸受３２１Ａに対して一対で設けられ、かつ軸受３２１Ａの両端面とそれぞれ略同一形状の平面視で略環状となる輪切断面を有した板状体３２１Ｋを備え、軸受３２１Ａの両端面と一対の板状体３２１Ｋの端面とが接合する状態、すなわち軸受３２１Ａをこれら一対の板状体３２１Ｋにて軸方向で挟持する構成となっている。複数のねじ状体３２１Ｊは、軸受３２１Ａが一対の板状体３２１Ｋにて軸方向で挟持された状態となるよう軸受３２１Ａの両端側および板状体３２１Ｋをそれぞれ螺合固定する。そして、それぞれのねじ状体３２１Ｊの頭部３２１Ｊ１は、両側移動方向側に突出し、それぞれのねじ状体３２１Ｊのねじ部３２１Ｊ２は、軸受３２１Ａおよび板状体３２１Ｋの本体内部に螺合されている構成、などとしてもよい。このような構成では、ねじ状体３２１Ｊの頭部３２１Ｊ１と、板状体３２１Ｋと、が軸受保護部３２１Ｃ７として機能する。すなわち、保持部３２１Ｂ７は、軸受保護部および保持部として機能する。なお、板状体３２１Ｋを軸受３２１Ａの両端面に取り付ける構成としては、ねじ状体３２１Ｊを用いるのに限らず、例えば接着剤などにて取り付けるなど、いずれの構成でもよい。
【００９１】
軸受３２１Ａが保持部３２１Ｂ１〜３２１Ｂ４の内部に内包される構成の変形例としては、上記図９に示す変形例の他、以下の変形例も挙げることができる。すなわち、図１０に示すように、第1の支持部３２１は、軸受３２１Ａと、保持部３２１Ｂ８と、複数のねじ状体３２１Ｍと、を備えている。保持部３２１Ｂ８は、１つの軸受３２１Ａに対して一対で設けられ、かつ軸受３２１Ａの両端面とそれぞれ略同一形状の平面視で略環状となる輪切断面を有した板状体３２１Ｋを備えている。複数のねじ状体３２１Ｍは、軸受３２１Ａの両端面と一対の板状体３２１Ｋの一面とを互いに対向させ所定の間隔を空けた状態でそれぞれ固定する。そして、それぞれのねじ状体３２１Ｍの頭部３２１Ｍ１は、両側移動方向側に突出し、それぞれのねじ状体３２１Ｍのねじ部３２１Ｍ２は、その基端側で板状体３２１Ｋを係止し、ねじ部３２１Ｍ２の先端側が軸受３２１Ａの本体内部に螺合されている構成などとしてもよい。このような構成では、ねじ状体３２１Ｍの頭部３２１Ｍ１と、板状体３２１Ｋと、ねじ部３２１Ｍ２のうち軸受３２１Ａの外側方向端面より外側方向における部位と、が軸受保護部３２１Ｃ８として機能する。すなわち、保持部３２１Ｂ８は、軸受保護部および保持部として機能する。
【００９２】
また、保持部３２１Ｂ１〜３２１Ｂ４および軸受保護部３２１Ｃ１〜３２１Ｃ４の構成として、次のような変形例も挙げられる。すなわち、図１１に示すように、保持部３２１Ｂ９は、軸方向の長さ寸法がｂ７、内径がｂ２、外径がｂ３に設定されている。この保持部３２１Ｂ９の長さ寸法ｂ７は、図４に示す第２の実施の形態における保持部３２１Ｂ２の長さ寸法ｂ４と同等の値に設定されている。そして、保持部３２１Ｂ９の内周面における内側移動方向の端部側には、内方に向けて突出した径小段差部３２１Ｎが設けられている。すなわち、径小段差部３２１Ｎは、保持部３２１Ｂ９の内周面における内側移動方向側の一部が内方に向けて内周面が同軸上で径小となる状態に突設された段差である。この径小段差部３２１Ｎは、軸方向の長さ寸法がｎ１に設定され、その内径がｎ２に設定される。また、径小段差部３２１Ｎの長さ寸法ｎ１は所定の値に設定され、径小段差部３２１Ｎの内径ｎ２は軸受３２１Ａの内径ａ２よりも大きくかつ軸受３２１Ａの外径ａ３よりも小さく設定されている。そして、この径小段差部３２１Ｎと、保持部３２１Ｂ９の内側移動方向端部側と、で非円筒状の軸受保護部３２１Ｃ９が構成されている、などとした構成でもよい。なお、図１１における長さ寸法ｃ１は、上記した式１の関係を満足する値以上に設定され、また、光ディスク１０の半径部分における記録面が形成された部位の円周方向長さの半分以下に設定される。この場合、式１におけるｃ２は、ｎ２に置き換える。このような構成において、径小段差部３２１Ｎにより軸受３２１Ａが覆われる状態となり、より確実に軸受３２１Ａの移動方向側端部を作業者などが触ってしまうことを防げる。なお、この図１１に示す変形例において、径小段差部３２１Ｎを、図６に示す第４の実施の形態における段差部３２１Ｆのように、軸受３２１Ａを移動規制する構成として利用、すなわち、径小段差部３２１Ｎに軸受３２１Ａが当接するまで保持部３２１Ｂ９の外側移動方向側から圧入して嵌合保持させるようにしてもよい。
【００９３】
〔実施の形態の作用効果〕
上述したように、光ディスク１０に対して読取処理および記録処理を実施するためのピックアップ３１０を搭載して第１のガイドシャフト２３０に沿って移動するピックアップベース３２０に、第１のガイドシャフト２３０に摺動可能に軸支される略円筒状の軸受３２１Ａ，３２２Ａを設けている。このため、ピックアップベース３２０を比較的に高い剛性率を有した材料で形成し、軸受３２１Ａ，３２２Ａをピックアップベース３２０よりも硬質の材料で形成することができる。したがって、高精度の情報処理を実施するピックアップ３１０を良好に搬送することができる。また、軸受３２１Ａ，３２２Ａの移動方向側の端部が臨みかつ第１のガイドシャフト２３０と干渉しない位置に形成された軸受保護部３２１Ｃ１，３２２Ｃ１を備えている。このため、例えば組立作業時に、作業者が軸受３２１Ａ，３２２Ａの移動方向側の端部を触ることがない。したがって、軸受３２１Ａ，３２２Ａの移動方向側の端部に汚れが付着することがなく、ガイドシャフト２３０との良好な摺動を維持できる。
【００９４】
また、軸受保護部３２１Ｃ１，３２２Ｃ１が、それぞれ保持部３２１Ｂ１，３２２Ｂ１の両側移動方向の端部に一体的に形成されている。これにより、軸受３２１Ａ，３２２Ａは、軸受３２１Ａ，３２２Ａの両側移動方向の端部が軸受保護部３２１Ｃ１，３２２Ｃ１の両側移動方向の端部よりも長さ寸法ｃ１だけガイドシャフト２３０の軸方向で内部側に位置する状態で、保持部３２１Ｂ１，３２２Ｂ１に嵌合保持された状態となっている。このため、ピックアップ装置３００の組立作業において、作業者が軸受３２１Ａ，３２２Ａの両側移動方向側の端部を触ることがない。したがって、軸受３２１Ａ，３２２Ａの両側移動方向側の端部に汚れが付着したり、端部が錆びたりすることがなく、ガイドシャフト２３０との良好な摺動を維持でき、高精度の情報処理を実施するピックアップ３１０を良好に搬送することができる。
【図面の簡単な説明】
【００９５】
【図１】本発明の第１の実施の形態に係るディスク装置の一部を切り欠いた概略構成を示す平面図である。
【図２】前記第１の実施の形態におけるディスク処理部を示す一部を切り欠いた平面図である。
【図３】前記第１の実施の形態におけるピックアップベースの要部を示す断面図である。
【図４】本発明の第２の実施の形態におけるピックアップベースの要部を示す断面図である。
【図５】本発明の第３の実施の形態におけるピックアップベースの要部を示す断面図である。
【図６】本発明の第４の実施の形態におけるピックアップベースの要部を示す断面図である。
【図７】本発明の変形例を示す第１の支持部近傍の断面図である。
【図８】本発明の変形例を示す第１の支持部近傍の断面図である。
【図９】本発明の変形例を示す第１の支持部近傍の断面図である。
【図１０】本発明の変形例を示す第１の支持部近傍の断面図である。
【図１１】本発明の変形例を示す第１の支持部近傍の断面図である。
【符号の説明】
【００９６】
１０   記録媒体としての光ディスク
１００ ディスク装置
２２０ ディスク回転駆動手段
２３０ 支持軸としての第１のガイドシャフト
２３１ 支持軸としての第２のガイドシャフト
２４０ 搬送手段としての処理移動手段
３００ 処理装置としてのピックアップ装置
３１０ 処理部としてのピックアップ
３２０ 基台としてのピックアップベース
３２１Ａ，３２２Ａ   軸受
３２１Ｂ１〜Ｂ９，３２２Ｂ１       保持部
３２１Ｃ１〜Ｃ９，３２２Ｃ  軸受保護部
３２１Ｅ  保持部の内周面が開口端側に拡径する状態に形成されたテーパ部
３２１Ｆ  段差部
【図１】
2006179044.tif 000003
【図２】
2006179044.tif 000004
【図３】
2006179044.tif 000005
【図４】
2006179044.tif 000006
【図５】
2006179044.tif 000007
【図６】
2006179044.tif 000008
【図７】
2006179044.tif 000009
【図８】
2006179044.tif 000010
【図９】
2006179044.tif 000011
【図１０】
2006179044.tif 000012
【図１１】
2006179044.tif 000013